(57)【要約】      （修正有）【課題】比較的簡単な構造で各種の演出趣向が可能な興趣のあるプッシャーを用いた景品獲得ゲーム機を提供する。【解決手段】操作装置によって水平方向に移動した後に発進装置によって発進するプッシャー２０を介して景品テーブル上に載置された景品を押送して、該景品を前記景品テーブルから景品獲得部へ移動するようにしたゲーム機を構成する。さらに、前記景品テーブルに景品の移動可能な第１位置５１と景品の移動を妨げる第２位置５２との間を不規則に搖動する搖動部材５０が配設されている。前記搖動部材を水平位置と傾斜位置を搖動する羽根部材とし、また前記プッシャーをその景品押送時に自転するように構成し、さらに前記プッシャー２０の保持シャフト２６を可撓性シャフト２８とすることができる。【選択図】図３
0003168594.tif 000002
【実用新案登録請求の範囲】
【請求項１】
操作装置によって水平方向に移動した後に発進装置によって発進するプッシャーを介して景品テーブル上に載置された景品を押送して、該景品を前記景品テーブルから景品獲得部へ移動するようにしたゲーム機において、
前記景品テーブルに景品の移動可能な第１位置と景品の移動を妨げる第２位置との間を不規則に搖動する搖動部材が配設されていることを特徴とする景品獲得ゲーム機。
【請求項２】
前記搖動部材が羽根部材よりなり、前記第１位置が前記羽根部材の水平位置であり、前記第２位置が前記羽根部材の傾斜位置である請求項１に記載の景品獲得ゲーム機。
【請求項３】
前記景品獲得部が景品落下口であり、前記搖動部材が前記景品落下口を臨む前記景品テーブル端部に配設された請求項１又は２に記載の景品獲得ゲーム機。
【請求項４】
前記プッシャーが前記景品テーブル上方を移動するプッシャーユニットに吊り下げ保持されており、その景品押送時に自転するように構成されている請求項１ないし３のいずれか１項に記載の景品獲得ゲーム機。
【請求項５】
前記プッシャーの保持シャフトが可撓性シャフトによって形成されている請求項４に記載の景品獲得ゲーム機。
【考案の詳細な説明】
【技術分野】
【０００１】
この考案はプレーヤーの操作によりプッシャーを移動させて景品テーブル上の景品を獲得するゲーム機に関する。
【背景技術】
【０００２】
遊技施設等に設置される各種の景品獲得ゲーム機のうち、プッシャーを移動させて景品テーブル上の景品を獲得するものは、比較的単純明快で老若男女を問わずに古くから幅広く好まれ各種のゲーム機が提案、採用されている（例えば、特許文献１〜３参照）。しかしながらあまりに単純であると飽きられるおそれがあり、趣向をこらしたものが望まれている。
【先行技術文献】
【特許文献】
【０００３】
【特許文献１】特開２００８−５４７９６号公報
【特許文献２】特開２００８−６１７２０号公報
【特許文献３】特開２００１−１２９２３９号公報
【考案の概要】
【考案が解決しようとする課題】
【０００４】
この考案は前記の点に鑑みなされたものであり、比較的簡単な構造で各種の演出趣向が可能な興趣のあるプッシャーを用いた景品獲得ゲーム機を提供するものである。
【課題を解決するための手段】
【０００５】
すなわち、請求項１の考案は、操作装置によって水平方向に移動した後に発進装置によって発進するプッシャーを介して景品テーブル上に載置された景品を押送して、該景品を前記景品テーブルから景品獲得部へ移動するようにしたゲーム機において、前記景品テーブルに景品の移動可能な第１位置と景品の移動を妨げる第２位置との間を不規則に搖動する搖動部材が配設されていることを特徴とする景品獲得ゲーム機に係る。
【０００６】
また、請求項２の考案は、前記搖動部材が羽根部材よりなり、前記第１位置が前記羽根部材の水平位置であり、前記第２位置が前記羽根部材の傾斜位置である請求項１に記載の景品獲得ゲーム機に係る。
【０００７】
請求項３の考案は、前記景品獲得部が景品落下口であり、前記搖動部材が前記景品落下口を臨む前記景品テーブル端部に配設された請求項１又は２に記載の景品獲得ゲーム機に係る。
【０００８】
請求項４の考案は、前記プッシャーが前記景品テーブル上方を移動するプッシャーユニットに吊り下げ保持されており、その景品押送時に自転するように構成されている請求項１ないし３のいずれか１項に記載の景品獲得ゲーム機に係る。
【０００９】
請求項５の考案は、前記プッシャーの保持シャフトが可撓性シャフトによって形成されている請求項４に記載の景品獲得ゲーム機に係る。
【考案の効果】
【００１０】
請求項１の考案に係る景品獲得ゲーム機は、操作装置によって水平方向に移動した後に発進装置によって発進するプッシャーを介して景品テーブル上に載置された景品を押送して、該景品を前記景品テーブルから景品獲得部へ移動するようにしたゲーム機において、前記景品テーブルに景品の移動可能な第１位置と景品の移動を妨げる第２位置との間を不規則に搖動する搖動部材が配設されているものであるから、比較的簡単な構造で景品の獲得ができたりできなかったりし、はらはらドキドキする演出趣向が可能な興趣のあるゲーム機とすることができる。
【００１１】
また、請求項２の考案にあっては、請求項１において、前記搖動部材が羽根部材よりなり、前記第１位置が前記羽根部材の水平位置であり、前記第２位置が前記羽根部材の傾斜位置であることより、はらはらドキドキ感が羽根部材による大きな搖動運動で演出されるのでより興趣のあるゲーム機とすることができる。
【００１２】
請求項３の考案にあっては、請求項１又は２において、前記景品獲得部が景品落下口であり、前記搖動部材が前記景品落下口を臨む前記景品テーブル端部に配設されたものであることより、はらはらドキドキ感が景品テーブル端部の景品落下口で演出されるのでさらに興趣のあるゲーム機とすることができる。
【００１３】
請求項４の考案にあっては、請求項１ないし３のいずれかにおいて、前記プッシャーが前記景品テーブル上方を移動するプッシャーユニットに吊り下げ保持されており、その景品押送時に自転するように構成されているものであるから、景品の形状や重量によってプッシャーの自転によって景品の押送りが難しくなり、景品の選択やプッシャー操作においてより興趣のあるゲーム機とすることができる。
【００１４】
さらに、請求項５の考案にあっては、請求項４において、前記プッシャーの保持シャフトが可撓性シャフトによって形成されていることから、景品の選択やプッシャー操作においてより興趣のあるゲーム機とすることができる。
【図面の簡単な説明】
【００１５】
【図１】本考案の一実施例を示す景品獲得ゲーム機の全体斜視図である。
【図２】図１のゲーム機の内部の要部を表す平面図である。
【図３】図１のゲーム機の内部の要部を表す側面図である。
【考案を実施するための形態】
【００１６】
図１に示す景品獲得ゲーム機１０は、プレーヤーの操作によりプッシャー２０を移動させて景品テーブル３０上の景品を獲得するゲーム機に関する。特には、操作装置である操作ボタン１１によって水平方向（実施例ではＸ軸方向）の所定位置に移動した後に発進装置である発進ボタン１２によって発進するプッシャー２０を介して景品テーブル３０上に載置された景品を押送して（実施例ではＹ軸方向）、該景品を前記景品テーブル３０の前部から景品獲得部４０へ落下移動するようにしたものであって、前記景品テーブル３０に景品の移動可能な第１位置と景品の移動を妨げる第２位置との間を不規則に搖動する搖動部材５０が配設されていることを特徴とするものである。なお、発進ボタン１２は一旦押すと変更は不可でプッシャー２０は自動的に前進した後に措定位置に後退する。図１において、符号８はゲーム機の函体、９は透明ケース部、１３はコイン投入部である。
【００１７】
図１の斜視図に加えて図２および図３の内側要部の各図からよく理解されるように、プッシャー２０は、透明ケース部９の正面後部の上部に配設されたレール部２２に沿って左右方向に移動するＸ軸駆動ユニット２１から前方向に設けられたレール部２４に沿って前後動するＹ軸駆動ユニット２３に設けられている。Ｘ軸駆動ユニット２１およびＹ軸駆動ユニット２３は公知の構造でモータおよびプーリーの基本機構からなる。図示の実施例のプッシャー２０は、図のように、Ｙ軸駆動ユニット２３の下部に取り付けられたプッシャユニット（回転保持機構）２５、保持シャフト２６、ヘッド２７の各部より構成される。図１のプッシャー２０の位置は初期設定位置であり、ゲーム終了後はこの復帰位置に戻る。
【００１８】
景品テーブル３０は載置された景品Ｋ（Ｋ１〜Ｋ４）がプッシャー２０によって押送り可能な摺動面として形成されている。なお、景品Ｋは前記景品テーブルを移動可能なものなら種類を問わないが、直（立）方体形状のほか、円柱（びん）形状、球形状等も押送りに困難性がありゲーム性や興趣が高い。
【００１９】
搖動部材５０は、前記景品テーブル３０から景品Ｋをプッシャー２０によって景品獲得部４０へ移動する際に、前記景品テーブル３０に配設されて景品Ｋの移動を可能にする第１位置と景品Ｋの移動を妨げる第２位置との間を不規則に搖動するものである。図２に示す符号５５は搖動部材５０の搖動機構であって、５６は搖動モーター、５７および５８は搖動アーム部（軸部）を表す。
【００２０】
実施例においては、請求項２の考案として規定しかつ図３からよりよく理解されるように、前記搖動部材５０が羽根部材５０Ａよりなり、景品Ｋの移動を可能にする第１位置５１が前記羽根部材５０Ａの水平位置（実線）であり、景品Ｋの移動を妨げる第２位置５２が前記羽根部材５０Ａの傾斜位置（破線）として構成される。
【００２１】
同じくこの実施例においては、請求項３の考案として規定し図２からよく解るように、前記景品獲得部４０が景品落下口４１であり、前記搖動部材５０が前記景品落下口４１を臨む景品テーブル３０端部３９に配設されている。図のように、操作者が対向する景品テーブル３０の前端部３９に搖動部材５０が配設されると、操作者の目前で景品の獲得の有無が演出されるので、はらはらドキドキ感が大きくなり興趣のあるゲーム機とすることができる。
【００２２】
また実施例においては、請求項４の考案として規定し図３からよく解るように、前記プッシャー２０が景品テーブル上方を移動する回転保持機構を有するプッシャーユニット２５に吊り下げ保持されており、その景品押送時には符号２９のように自転するように構成されている。プッシャー２０の自転２９は、景品Ｋの後部に接するヘッド２７が景品Ｋの形状や重量あるいは位置等によって景品Ｋの押送りを困難にし、これによって景品の選択やプッシャー操作においてより興趣のあるゲーム機とすることができる。
【００２３】
さらにこの実施例では、請求項５の考案として規定し図３から理解されるように、前記プッシャー２０の保持シャフト２６を金属製のフレキシブルチューブ等の可撓性シャフト２８によって形成してもよい。これによって、景品Ｋの押送り時に景品Ｋの形状や重量あるいは位置等によって保持シャフト２６が不規則に撓み景品Ｋの押送りが困難になってより興趣のあるゲームを楽しむことができる。
【００２４】
なお、本考案の景品獲得ゲーム機は、前述の実施例のみに限定されるものではなく、考案の趣旨を逸脱しない範囲において構成の一部を適宜に変更して実施することができる。
【符号の説明】
【００２５】
１０    景品獲得ゲーム機
１１    操作装置（操作ボタン）
１２    発進装置（発進ボタン）
２０    プッシャー
２１    Ｘ軸駆動ユニット
２３    Ｙ軸駆動ユニット
２５    プッシャユニット（回転保持機構）
２６    保持シャフト
２７    ヘッド
２８    可撓性シャフト
３０    景品テーブル
４０    景品獲得部
４１    景品落下口
５０    揺動部材
５０Ａ  羽根部材
５１    第１位置
５２    第２位置
５５    揺動機構
Ｋ      景品
【図１】
0003168594.tif 000003
【図２】
0003168594.tif 000004
【図３】
0003168594.tif 000005
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
操作装置によって水平方向に移動した後に発進装置によって発進するプッシャーを介して景品テーブル上に載置された景品を押送して、該景品を前記景品テーブルから景品獲得部へ移動するようにしたゲーム機において、
前記景品テーブルに前記景品獲得部への景品の移動を可能とする第１位置と前記景品獲得部への景品の移動を妨げる第２位置との間を不規則に搖動する搖動部材が配設されていることを特徴とする景品獲得ゲーム機。
【請求項２】
前記搖動部材が羽根部材よりなり、前記第１位置が前記羽根部材の水平位置であり、前記第２位置が前記羽根部材の傾斜位置である請求項１に記載の景品獲得ゲーム機。
【請求項３】
前記景品獲得部が景品落下口であり、前記搖動部材が前記景品落下口を臨む前記景品テーブル端部に配設された請求項１又は２に記載の景品獲得ゲーム機。
【請求項４】
前記プッシャーが前記景品テーブル上方を移動するプッシャーユニットに吊り下げ保持されており、その景品押送時に自転するように構成されている請求項１ないし３のいずれか１項に記載の景品獲得ゲーム機。
【請求項５】
前記プッシャーの保持シャフトが可撓性シャフトによって形成されている請求項４に記載の景品獲得ゲーム機。
【手続補正２】
【補正対象書類名】明細書
【補正対象項目名】０００５
【補正方法】変更
【補正の内容】
【０００５】
すなわち、請求項１の考案は、操作装置によって水平方向に移動した後に発進装置によって発進するプッシャーを介して景品テーブル上に載置された景品を押送して、該景品を前記景品テーブルから景品獲得部へ移動するようにしたゲーム機において、前記景品テーブルに前記景品獲得部への景品の移動を可能とする第１位置と前記景品獲得部への景品の移動を妨げる第２位置との間を不規則に搖動する搖動部材が配設されていることを特徴とする景品獲得ゲーム機に係る。
【手続補正３】
【補正対象書類名】明細書
【補正対象項目名】００１０
【補正方法】変更
【補正の内容】
【００１０】
請求項１の考案に係る景品獲得ゲーム機は、操作装置によって水平方向に移動した後に発進装置によって発進するプッシャーを介して景品テーブル上に載置された景品を押送して、該景品を前記景品テーブルから景品獲得部へ移動するようにしたゲーム機において、前記景品テーブルに前記景品獲得部への景品の移動を可能とする第１位置と前記景品獲得部への景品の移動を妨げる第２位置との間を不規則に搖動する搖動部材が配設されているものであるから、比較的簡単な構造で景品の獲得ができたりできなかったりし、はらはらドキドキする演出趣向が可能な興趣のあるゲーム機とすることができる。